(57)【要約】【課題】  容易に設置することができ、かつ、設置場所を選ばない手摺り装置を提供する。【解決手段】  手摺り装置１は、複数の手摺りユニット１０を備える。手摺りユニット１０は、異なる形状を有する直線ユニット２０と、角ユニット３０とを備える。直線ユニット２０は、ほぼ平行に対向離間する一対の手摺り棒２１と、手摺り棒２１の長さ方向Ｌへ離間するとともに手摺り棒２１に交差する方向へ延びる２本の支柱２２と、支柱２２が接合された一対の枠体２３と、枠体２３からその内側に延びる底面体２４とを含む。角ユニット３０は、手摺り棒３１と、手摺り棒３１に交差する方向へ延びる２本の支柱３２と、支柱３２が接合された枠体３３と、枠体３３内側に延びる底面体３４とを含む。【選択図】図１
0003201240.tif 000002
【実用新案登録請求の範囲】
【請求項１】
複数本の手摺り棒と、それぞれの前記手摺り棒の長さ方向へ離間するとともに前記手摺り棒に交差する方向へ延びる少なくとも２本の支柱と、前記支柱の下端部に接合された枠体と、前記枠体内側に伸びる底面体と、前記底面体の上に配置された踏板と、を備えた手摺りユニットによって構成されることを特徴とする手摺り装置。
【請求項２】
前記手摺りユニットは、直線状の通路を形成する直線ユニットと、前記通路の端部または曲がり角を形成する角ユニットとを備えることを特徴とする請求項１記載の手摺り装置。
【考案の詳細な説明】
【技術分野】
【０００１】
この考案は、歩行時に捕まることができる手摺り装置に関し、より詳細には、離間して配置された二本の手摺り棒を備える手摺り装置に関する。
【背景技術】
【０００２】
従来、高齢者や障害者が左右両方の手でそれぞれ把持することができる二本の手摺り棒を備える手摺り装置が知られている。両手で手摺り棒に捕まることによって、安定して立つことができ、歩行訓練に用いることもできる。
【先行技術文献】
【特許文献】
【０００３】
【特許文献１】特開２００４−１８７７２２号公報
【考案の概要】
【考案が解決しようとする課題】
【０００４】
しかしながら、従来の手摺り装置は、既存の壁や床に対してボルト等で固定して使用するため、別途固定手段を必要とし、容易に設置することができなかった。また、固定手段の種類によっては設置場所が限定されてしまうという問題もあった。
【０００５】
この考案では、容易に設置することができ、かつ、設置場所を選ばない手摺り装置を提供することを課題とする。
【課題を解決するための手段】
【０００６】
この考案は、複数本の手摺り棒と、それぞれの前記手摺り棒の長さ方向へ離間するとともに前記手摺り棒に交差する方向へ延びる少なくとも２本の支柱と、前記支柱の下端部に接合された枠体と、前記枠体内側に伸びる底面体と、前記底面体の上に配置された踏板と、を備えた手摺りユニットによって構成されることを特徴とする。
【０００７】
この考案において、前記手摺りユニットは、直線状の通路を形成する直線ユニットと、前記通路の端部または曲がり角を形成する角ユニットとを備えていてもよい。
【考案の効果】
【０００８】
この考案によれば、複数本の手摺り棒は、支柱、枠体及び底面体を介して互いに連結されているから、特別な固定手段がなくても設置することができる。すなわち、手摺りユニットを床に置くだけで、手摺り装置を設置することができる。別途固定手段を用いる必要がないので、その設置が容易で、かつ、設置場所を選ばない。また、底面体に踏板を載せることによって、踏板に乗った利用者の体重によって手摺り装置を安定させることができる。
【図面の簡単な説明】
【０００９】
【図１】この考案の手摺り装置の一実施形態を示した図。
【図２】図１のＩＩ−ＩＩ線断面図。
【図３】図１のＩＩＩで囲った部分の拡大図であって、互いに連結された手摺り棒を離間させた状態の図。
【考案を実施するための形態】
【００１０】
図１および図２を参照すれば、手摺り装置１は、複数の手摺りユニット１０を備える。手摺りユニット１０は、異なる形状を有する直線ユニット２０と、角ユニット３０とを備える。直線ユニット２０は、直線状の通路を形成するものであり、角ユニット３０は、直線ユニット２０に接続して通路の端部や曲がり角に用いることができる。
【００１１】
直線ユニット２０は、ほぼ平行に対向離間する一対の手摺り棒２１と、手摺り棒２１の長さ方向Ｌへ離間するとともに手摺り棒２１に交差する方向、すなわち図面上下方向へ延びる少なくとも２本の支柱２２と、支柱２２が接合された一対の枠体２３と、枠体２３からその内側に延びる底面体２４とを含む。この実施形態において、支柱２２は各手摺り棒２１の両端部２１Ａおよび２１Ｂ近傍にそれぞれ配置され、その上端部２２Ａが手摺り棒２１に接合され、下端部２２Ｂが枠体２３に接合される。枠体２３は手摺り棒２１の下方において手摺り棒２１と同一方向へ延びる。すなわち、枠体２３は手摺り棒２１にほぼ平行に一対設けられる。さらに、この実施形態において、底面体２４は、一方の枠体２３から他方の枠体２３へと延びる帯状のものであって、手摺り棒２１の長さ方向Ｌへ離間して２本設けられる。このような直線ユニット２０において、離間して配置される一対の手摺り棒２１の間において直線状の通路を形成することができる。
【００１２】
角ユニット３０は、手摺り棒３１と、手摺り棒３１に交差する方向、すなわち図面上下方向へ延びる支柱３２と、支柱３２が接合された枠体３３と、枠体３３内側に延びる底面体３４とを含む。この実施形態において手摺り棒３１はほぼ直角に屈曲したＬ字型を有するとともに、上下方向へ離間して３本設けられる。支柱３２はその上端部３２Ａが最も上方に位置する手摺り棒３１に接合され、下端部３２Ｂが枠体３３に接合される。他の手摺り棒３１もそれぞれ支柱３２に接合される。この実施形態において支柱３２は、手摺り棒３１の両端部３１Ａおよび３１Ｂ近傍および屈曲部３１Ｃ近傍にそれぞれ配置される。枠体３３は手摺り棒３１の下方において手摺り棒３１と同一方向へ延びる。すなわち、枠体３３もＬ字型を有する。また、底面体３４は一方の枠体３３から延びる帯状であるとともに他方の枠体３３に隣接して配置される。このような角ユニット３０は、直線ユニット２０に接合され、通路の端部や曲がり角を形成する。
【００１３】
枠体２３および３３は、接地部２３Ａ，３３Ａと起立部２３Ｂ，３３Ｂとを含み、その断面がＬ字型を有する。より詳細には、接地部２３Ａ，３３Ａは、その上面に支柱２２，３２の下端部２２Ｂ，３２Ｂが接合され、下面が床等に接触される。起立部２３Ｂ，３３Ｂは、接地部２３Ａ，３３Ａの内端部から上方へ起立する。
【００１４】
角ユニット３０は、隣接する二辺に枠体３３が設けられ、他の隣接する二辺には設けられていない。枠体３３が設けられていない部分を通路への侵入口として用いることができる。例えば、ベッドサイドに角ユニット３０の侵入口を隣接すれば、利用者はベッドから起き上がってすぐに手摺り装置１に捕まって立ち上がり、手摺り棒２１，３１につかまって歩行することができる。
【００１５】
直線ユニット２０は、対向する二辺に枠体２３が設けられ、他の対向する二辺には設けられていない。直線ユニット２０と角ユニット３０とを連結する場合、直線ユニット２０の枠体２３の一方と角ユニット３０の枠体３３の一方とを当接させて配置する。また、直線ユニット２０を互いに連結する場合には、一対の枠体２３をそれぞれ当接させて配置する（図示せず）。複数の直線ユニット２０を連結することによって直線状の通路の長さを任意に変更することができる。また、直線ユニット２０の間に角ユニット３０を用いることによって、通路を曲げることができる。なお、この実施形態では、角ユニット３０の手摺り棒３１のなす角度は約９０度であるが、これに限定されるものではなく、種々の角度にすることができる。これによって通路を任意の角度で曲げることができる。
【００１６】
図３に示したように、隣接する直線ユニット２０と角ユニット３０とは、手摺り棒２１および３１の端部に設けられた連結機構によって互いに連結される。すなわち、手摺り棒３１の一方の端部３１Ａには、他の部分よりもその外径が小さい小径部３５が設けられる。小径部３５は手摺り棒２１の端部２１Ｂの内径よりも小さい。したがって、小径部３５は手摺り棒２１に挿入可能であり、このように挿入することによって、手摺り棒２１と３１とを互いに連結することができる。小径部３５は手摺り棒２１の内周に摺動可能な大きさとすることが好ましい。同様に、直線ユニット２０の手摺り棒２１の一方の端部２１Ａにも小径部を設けることによって、隣接する直線ユニット２０の手摺り棒２１と連結することができる。
【００１７】
上記のように連結した直線ユニット２０および角ユニット３０の底面体２４，３４の上部には踏板４０を載せる。踏板４０の大きさは各手摺りユニット１０の大きさとほぼ等しくすることもできるし、連結した手摺りユニット１０の大きさとすることもできる。また、踏板４０は、枠体２３，３３の起立部２３Ｂ，３３Ｂの内側に当接する大きさにすることが望ましい。このような大きさにすることで、踏板４０が枠体２３，３３の内側にがたつきなく収めることができる。
【００１８】
上記のような手摺り装置１において、利用者が手すりにつかまって歩行するときには必然的に踏板４０の上に乗ることになる。踏板４０の下には底面体２４，３４が配置され、底面体２４，３４には枠体２３，３３および支柱２２，３２を介して手摺り棒２１，３１が接合される。利用者の体重によって踏板４０が押圧され、踏板４０によって手摺り棒２１，３１が安定して保持される。したがって、利用者によって手摺り装置１が使用される際には、安全性を向上させることができ、利用者が手摺り棒２１，３１に体重をかけたとしてもこれが倒れることがない。
【００１９】
また、手摺りユニット１０は床等に置くだけで設置することができる。すなわち、ボルトなどを用いて壁や天井に固定する必要がないので、容易に設置することができるとともに、設置場所を選ばない。したがって、利用者の状況に応じて適所に設置可能である。例えば、ベッドから台所までの通路を形成するように設置したり、居間からトイレまでの通路を形成するように設置したりすることができる。また、例えばベッドから車いすまでの移動ツールとして用いることもできる。さらに、この手摺り装置１は、壁などに隣接させる必要がないので、例えば部屋の中央を横切るように設置することもできる。
【００２０】
手摺り装置１の設置に、ボルト等を必要としないので、建物に穴をあける必要がなく、建物への損傷を防ぐことができる。また、手摺りユニット１０のそれぞれを設置場所に運び、設置場所で組み立てることができるので、より一層その設置が容易である。手摺りユニット１０の連結を外して撤去するだけで、手摺り装置１を取り外すことができる。リハビリを目的とした手摺り装置１の場合には、短期間の利用になることも多いが、この手摺り装置１のように容易に設置と撤去ができるものであれば、利用者にとって使いやすいものとなる。
【００２１】
この実施形態において、直線ユニット２０の手摺り棒２１は、上下方向において一本のみであるが、角ユニット３０のように複数本配置してもよい。上下方向において複数本設けることによって、例えば、上方の手摺り棒は立って歩くときに持ちやすい位置に配置し、下方の手摺り棒は座った状態から立ち上がるときに持ちやすい位置に配置することができる。このような手摺り装置１は、筋力が衰えた利用者の立ち上がりの練習用ツールとして用いることもできるし、スクワット運動による筋力増強の訓練用ツールとして用いることもできる。連結体は帯状のものを用いているが、枠体２３，３３の内側の広い範囲に亘って形成されるものでもよい。
【００２２】
この実施形態において、複数の手摺り棒とは、利用者の左右に平行に離間した一対の手摺り棒２１、上下に離間した手摺り棒３１、さらには、屈曲部３１Ｃを基点に理論的に分割可能な互いに交差する一方の端部３１Ａを含む部分および他方の端部３１Ｂを含む部分のそれぞれを含む。また、手摺り装置１は、木材、金属、樹脂等、この技術分野において知られる通常の材質のものを用いることができる。
【符号の説明】
【００２３】
１    手摺り装置
１０    手摺りユニット
２０    直線ユニット
２１    手摺り棒
２２    支柱
２３    枠体
２４    底面体
３０    角ユニット
３１    手摺り棒
３２    支柱
３３    枠体
３４    底面体
４０    踏板
【図１】
0003201240.tif 000003
【図２】
0003201240.tif 000004
【図３】
0003201240.tif 000005